(57)【特許請求の範囲】
【請求項１】
商品に貼付される台紙レスラベルのラベル片を発行するラベル発行装置であって、
前記台紙レスラベルに商品情報を印字する印字部と、
前記台紙レスラベルを送り出す送出部と、
前記印字部及び前記送出部の動作を制御する制御部と、を備え、
前記制御部は、前記台紙レスラベルの送出方向において、前記商品情報が印字される第１領域を含む前記台紙レスラベルの長さが所定の禁止ラベル長範囲内であると判断した場合には、前記第１領域を含む前記台紙レスラベルの前記長さと、前記禁止ラベル長範囲を越え、且つ前記商品において前記ラベル片の貼付位置が設けられた一の面、及び当該一の面以外の他の面の２面に跨って前記ラベル片が貼付されるための第２領域の長さと、を合わせた長さを有する前記ラベル片が発行されるように、前記送出部を制御する、ラベル発行装置。
【請求項２】
前記商品は、物品が収容される本体と、当該本体に取り付けられる蓋と、を有する容器を含み、
前記制御部は、前記容器の前記蓋の上面における前記ラベル片の貼付位置、前記容器の寸法、前記第１領域の長さ、及び、前記台紙レスラベルの幅寸法の少なくとも１つの情報に基づいて、前記第２領域の長さを設定する、請求項１に記載のラベル発行装置。
【請求項３】
前記制御部は、前記第２領域の長さを、前記蓋の前記上面と前記本体の側面とに跨って前記ラベル片が貼付される長さに設定する、請求項２に記載のラベル発行装置。
【請求項４】
前記商品に係る商品関連情報であって、前記容器に係る容器情報を少なくとも含む当該商品関連情報を前記商品毎に記憶すると共に、前記容器情報と前記第２領域の長さとが対応づけられた長さ情報を記憶する記憶部を備え、
前記制御部は、前記記憶部に記憶されている前記商品関連情報及び前記長さ情報に基づいて、前記商品に対応する前記ラベル片の前記第２領域の長さを設定する、請求項３に記載のラベル発行装置。
【請求項５】
前記容器の高さを検出する検出部を備え、
前記制御部は、前記商品の前記商品関連情報が前記記憶部に記憶されていない場合、前記検出部によって検出された前記容器の高さに基づいて、前記第２領域の長さを設定する、請求項４に記載のラベル発行装置。
【請求項６】
商品に貼付される台紙レスラベルのラベル片を発行するラベル発行装置であって、
前記台紙レスラベルに商品情報を印字する印字部と、
前記台紙レスラベルを送り出す送出部と、
前記印字部及び前記送出部の動作を制御する制御部と、
前記台紙レスラベルの送出方向における延長ラベル長さに関する複数の候補を表示する表示部と、
前記表示部に表示された複数の前記候補のうちの１つの前記候補を選択するための入力を受け付ける入力部と、を備え、
前記制御部は、前記台紙レスラベルの送出方向において、前記商品情報が印字される第１領域を含む前記台紙レスラベルの長さと、選択された１つの前記候補に基づいて設定され、且つ前記商品において前記ラベル片の貼付位置が設けられた一の面、及び当該一の面以外の他の面の２面に跨って前記ラベル片が貼付されるための第２領域の長さと、を合わせた長さを有するラベル片が発行されるように、前記送出部を制御する、ラベル発行装置。
【請求項７】
前記商品は、物品が収容される本体と、当該本体に取り付けられる蓋と、を有する容器を含む、請求項６に記載のラベル発行装置。
【請求項８】
商品に貼付される台紙レスラベルのラベル片を発行するラベル発行装置であって、
前記台紙レスラベルに商品情報を印字する印字部と、
前記台紙レスラベルを送り出す送出部と、
前記印字部及び前記送出部の動作を制御する制御部と、
前記台紙レスラベルの送出方向における延長ラベル長さに関する情報の入力を受け付ける入力部と、を備え、
前記制御部は、前記台紙レスラベルの送出方向において、前記商品情報が印字される第１領域を含む前記台紙レスラベルの長さと、前記延長ラベル長さに関する情報に基づいて設定され、且つ前記商品において前記ラベル片の貼付位置が設けられた一の面、及び当該一の面以外の他の面の２面に跨って前記ラベル片が貼付されるための空白の第２領域の長さと、を合わせた長さを有するラベル片が発行されるように、前記送出部を制御する、ラベル発行装置。
【発明の詳細な説明】
【技術分野】
【０００１】
本発明は、ラベル発行装置に関する。
【背景技術】
【０００２】
近年、環境面を配慮して、ラベル発行時に出るゴミ（台紙）を抑制できる、ラベルの貼着面に台紙（剥離紙）が貼付されていない、所謂、台紙レスラベルが用いられている。特許文献１には、このような台紙レスラベルに商品情報を印字して、ラベル片を発行することができるラベル発行装置が開示されている。
【先行技術文献】
【特許文献】
【０００３】
【特許文献１】特開２０１４−１７７３０６号公報
【発明の概要】
【発明が解決しようとする課題】
【０００４】
ラベル片は、商品において、貼付される位置が決められている。ここで、近年、台紙レスラベルに印字される商品情報には、商品名、原材料名及び製造者等に加えて、栄養成分、及び／又は、食品に含まれるアレルギー物質に関する情報や、外国語表示等が含まれ、増加していく傾向にある。また、商品情報の表示は、例えばシニア向けに、フォントが大きく設定されることがある。このような場合、商品情報が印字されたラベル片は、その長さが長くなる。ラベル片の長さが長いと、ラベル片を商品の所定の位置に貼付したときに、ラベル片の一部が商品からはみ出すおそれがある。ラベル片の一部が商品からはみ出すと、ラベル片のはみ出した部分が他の商品に貼り付いたり、商品を袋に入れたときに袋に貼り付いたりする等といった問題が生じ得る。特に、台紙レスラベルは、ロール状に巻いた際に粘着面と接する印字面に非粘着コーティングが施されているため、比較的厚みがあり、剛性を有している。そのため、ラベル片において商品からはみ出した部分は、折れ曲がり難く、長さによっては商品の側面に貼り付かず、浮き上がったりめくれ上がったりするため、他の商品等に貼り付く可能性が高い。この問題に関して、ラベル片が商品からはみ出さないように貼付する位置を変更することも考えられるが、ラベル片の長さ及び貼付する位置によっては商品が見え難くなるという別の問題が生じる。
【０００５】
本発明は、商品に貼付されたラベル片が他の物体に貼り付かないラベル片を発行できるラベル発行装置を提供することを目的とする。
【課題を解決するための手段】
【０００６】
本発明に係るラベル発行装置は、商品に貼付される台紙レスラベルのラベル片を発行するラベル発行装置であって、台紙レスラベルに商品情報を印字する印字部と、台紙レスラベルを送り出す送出部と、印字部及び送出部の動作を制御する制御部と、を備え、制御部は、台紙レスラベルに商品情報が印字された第１領域に加えて、台紙レスラベルの送出方向における第１領域の上流側及び下流側の少なくとも一方に、ラベル片が少なくとも商品の２面に跨って貼付されるための所定長さの第２領域を有するラベル片が発行されるように送出部を制御する。
【０００７】
このラベル発行装置では、第１領域に加えて、台紙レスラベルの送出方向における第１領域の上流側及び下流側の少なくとも一方に所定長さの第２領域を有するラベル片が発行されるように送出部を制御する。第２領域（例えば、空白部分）は、ラベル片が少なくとも商品の２面に跨って貼付されるための所定長さを有する。そのため、ラベル片は、例えば、一部が商品の上面に貼付され、上面からはみ出した部分が商品の側面に貼付され得る。したがって、ラベル片の一部が商品からはみ出すことがないため、商品に貼付されたラベル片が他の物体（商品、袋等）に貼り付くことが抑制され得る。このように、ラベル発行装置では、商品に貼付されたラベル片が他の物体に貼り付かないラベル片を発行できる。
【０００８】
一実施形態においては、商品は、物品が収容される本体と、当該本体に取り付けられる蓋と、を有する容器を含み、制御部は、容器の蓋の上面におけるラベル片の貼付位置、容器の寸法、第１領域の長さ、及び、台紙レスラベルの幅寸法の少なくとも１つの情報に基づいて、第２領域の長さを設定してもよい。制御部は、上記のいずれかの情報を用いることにより、第２領域の長さを適切に設定できる。
【０００９】
一実施形態においては、制御部は、第２領域の長さを、蓋の上面と本体の側面とに跨ってラベル片が貼付される長さに設定してもよい。このように第２領域の長さが設定されたラベル片を発行することにより、商品に貼付されたラベル片は、蓋の上面と本体の側面とに確実に貼り付くため、他の物体（商品、袋等）に貼り付くことがない。また、ラベル片を、本体から蓋が外れることを抑制するシールとして機能させることができる。
【００１０】
一実施形態においては、制御部は、第２領域を含まない場合のラベル片の長さが、貼付位置においてラベル片が貼付される貼付領域の第１長さよりも大きく、且つ、第１長さよりも長い第２長さ以下である場合、ラベル片の長さが第２長さよりも長い第３長さとなるように、第２領域の長さを設定してもよい。これにより、ラベル発行装置は、蓋の上面と本体の側面とに跨って貼付されるラベルを発行できる。
【００１１】
一実施形態においては、商品に係る商品関連情報であって、容器に係る容器情報を少なくとも含む当該商品関連情報を商品毎に記憶すると共に、容器情報と第２領域の長さとが対応づけられた長さ情報を記憶する記憶部を備え、制御部は、記憶部に記憶されている商品関連情報及び長さ情報に基づいて、商品に対応するラベル片の第２領域の長さを設定してもよい。このように、記憶部において商品関連情報と長さ情報とが記憶されているため、制御部は、商品毎の第２領域の長さを迅速且つ正確に取得して設定できる。また、制御部が自動で第２領域の長さを設定するため、作業者が設定を行う手間を省くことができる。
【００１２】
一実施形態においては、容器の高さを検出する検出部を備え、制御部は、商品の商品関連情報が記憶部に記憶されていない場合、検出部によって検出された容器の高さに基づいて、第２領域の長さを設定してもよい。これにより、ラベル発行装置では、記憶部に記憶されていない商品であっても、商品に適したラベル片を発行できる。
【００１３】
一実施形態においては、制御部は、商品毎に第２領域の長さを取得して設定する第１モードと、ラベル片毎の第２領域の長さを一定の長さに設定する第２モードと、に切り替え可能であってもよい。これにより、ラベル発行装置は、商品毎に第２領域の長さが異なるラベル片、及び、商品に関わらず第２領域の長さが一定とされたラベル片を発行できる。したがって、ラベル片が貼付される商品の様態に応じたラベル片の発行が可能となる。
【００１４】
一実施形態においては、第２モードにおいて、複数の第２領域の長さの候補を表示する表示部と、表示部に表示された複数の第２領域の長さの候補のうち、１つの第２領域の長さの候補を選択する入力を受け付ける入力部と、を備えていてもよい。これにより、作業者は、第２領域の長さを任意に設定できる。
【発明の効果】
【００１５】
本発明によれば、商品に貼付されたラベル片が他の物体に貼り付かないラベル片を発行できる。
【図面の簡単な説明】
【００１６】
【図１】一実施形態に係るラベル発行装置を含む電子秤の外観斜視図である。
【図２】図１の電子秤における装着部のカバーが開いた状態を示す外観斜視図である。
【図３】図１のプリンタ部の要部を拡大して示した断面図である。
【図４】図１の電子秤における機能構成を示した機能ブロック図である。
【図５】ラベル発行装置で発行されたラベル片を示す図である。
【図６】記憶部に記憶されている商品マスタ及びトレーマスタを示す図である。
【図７】記憶部に記憶されているラベルマスタを示す図である。
【図８】ラベル延長モードの第１モードにおける制御部の動作を示すフローチャートである。
【図９】商品の容器にラベル片が貼付された状態を示す図である。
【図１０】商品の容器にラベル片が貼付された状態を示す図である。
【図１１】商品の容器にラベル片が貼付された状態を示す図である。
【図１２】ラベル延長モードの第２モードにおける第１形態の制御部の動作を示すフローチャートである。
【図１３】第２モードの第１形態で発行されるラベル片を示す図である。
【図１４】ラベル延長モードの第２モードにおける第２形態の制御部の動作を示すフローチャートである。
【図１５】第２モードの第２形態で発行されるラベル片を示す図である。
【図１６】他の形態のラベル片を示す図である。
【図１７】図１６（ａ）に示すラベル片が容器に貼り付けられた状態を示す図である。
【図１８】図１６（ｂ）に示すラベル片が容器に貼り付けられた状態を示す図である。
【図１９】他の形態に係るベル発行装置を含む電子秤の側面図である。
【図２０】他の形態に係るベル発行装置を含む電子秤における機能構成を示した機能ブロック図である。
【図２１】一実施形態に係るラベル発行装置を含む包装貼付システムの正面図である。
【図２２】一実施形態に係るラベル発行装置を含む包装貼付システムの側面図である。
【図２３】図２１のラベル発行装置の要部を拡大して示した断面図である。
【図２４】図２１のラベル発行装置における機能構成を示した機能ブロック図である。
【発明を実施するための形態】
【００１７】
以下、添付図面を参照して、本発明の好適な実施形態について詳細に説明する。なお、図面の説明において同一又は相当要素には同一符号を付し、重複する説明は省略する。
【００１８】
一実施形態のラベル発行装置３０を備える電子秤１について説明する。電子秤１は、商品の重量を計量する共に、計量した商品に貼り付けるラベル片ＬＣを発行する機能を有している。本実施形態では、商品は、例えば、図９に示されるように、物品が収容される本体Ｃａと、本体Ｃａに取り付けられる蓋Ｃｂと、を有する。
【００１９】
図１及び図２に示されるように、電子秤１は、本体ケース３と、本体ケース３の構成面に設けられた操作部１０と、本体ケース３の中に収容された計量部２０、ラベル発行装置３０及び本体制御ユニット７０と、を備えている。
【００２０】
操作部１０は、本体ケース３の前面に配置された店員側操作部１１と、本体ケース３の後面に配置された図示しない客側操作部と、を有している。店員側操作部１１は、ヒンジ部１１Ａを軸として回動可能に設けられている。店員側操作部１１は、タッチパネル（表示部、入力部）１３と、固定キー１５と、を含んでいる。タッチパネル１３には、本体制御ユニット７０の制御により、電子秤１の操作に必要な基本的情報が表示される。固定キー１５には、料金秤として必要な「単価」キー、「定額」キー、「風袋」キー、「印字」キー、及び「呼出」キー等があり、これらが数字キーと共に適宜配置されている。
【００２１】
作業者が、「呼出」キーを操作し、タッチパネル１３に表示された項目にタッチすると、計量対象商品の登録情報が後述する記憶部９４から読み出される。ここで、作業者が、商品を計量台２１に載置すれば、重量、価格、及び商品名等が店員側操作部１１のタッチパネル１３及び客側操作部の液晶ディスプレイに表示される。客側操作部の液晶ディスプレイには、重量、価格の他に商品に関する種々の広告メッセージが表示される。
【００２２】
計量部２０は、主として、計量台２１と、図示しないロードセル、信号処理回路、及び送信モジュールを有している。ロードセルは、計量台２１の下方に設けられており、計量台２１に被計量物が載置されることにより発生する機械的歪を電気信号に変換する。信号処理回路は、ロードセルから出力される電気信号を増幅してデジタル信号に変換する。送信モジュールは、デジタル信号を本体ケース３内の本体制御ユニット７０に無線で送信する。
【００２３】
本体制御ユニット７０は、電子秤１における各種動作を制御する部分であり、ＣＰＵ（CentralProcessing Unit）、ＲＯＭ（Read Only Memory）、ＲＡＭ（Random Access Memory）は、アドレスバスやデータバス等のバスラインを介して相互に接続されている。本体制御ユニット７０は、電子秤１における各種制御処理を実行する。本体制御ユニット７０は、例えば、計量部２０から送信されるデジタル信号を受信したり、受信した信号から得られる質量に予め設定された単位質量当りの単価を乗じて価格を算出したり、算出された価格を、店員側操作部１１のタッチパネル１３及び客側操作部の液晶ディスプレイに表示させたりする。なお、本実施形態では、計量部２０から本体制御ユニット７０に無線で信号を送信するようにしているが、これに代えて有線で送信するようにしてもよい。
【００２４】
図１〜図３に示されるように、ラベル発行装置３０は、本体ケース３の前面右側に設けられた開閉扉３Ａの奥に配置されている。開閉扉３Ａは、下端を軸として回動することにより、開閉可能に設けられている。ラベル発行装置３０は、開閉扉３Ａが開状態となることで露出するように配置される。ラベル発行装置３０は、カセット部３１と、印字部３３と、カッターユニット４０と、プリンタ制御ユニット９０と、を備えている。
【００２５】
カセット部３１は、ラベルロールＬＲを着脱自在に支持する。カセット部３１の側壁３１Ａには、図２に示されるように、ラベルロールＬＲを片持ち状態で支持可能なロール支持部Ｒが形成されており、ラベルロールＬＲは、ロール支持部Ｒに装着される。
【００２６】
ここで、ラベルロールＬＲについて説明する。ラベルロールＬＲは、いわゆる台紙レスラベルＬが紙管に巻回されてロール状に形成されたものである。台紙レスラベルＬ（以下、単に「ラベルＬ」と称す。）は、基材である紙の裏面に接着剤が塗布され、表面に熱で発色する感熱剤が塗布され、更にその上から剥離剤としてのシリコン樹脂が塗布されている。ラベルロールＬＲは、ラベルＬの裏面（貼着面）を内側にして紙管に巻き付けたものであるから、裏面がプラテンローラ（送出部）３７と接触するように引き出される。
【００２７】
図３に示されるように、印字部３３は、印字ヘッド（印字部）３５と、プラテンローラ３７と、を有している。印字部３３は、ラベルＬの印字と送出とを兼ねる部分である。
【００２８】
印字ヘッド３５は、開閉扉３Ａの裏面に設けられており、ラベルＬに商品情報を印字する。印字ヘッド３５は、サーマル式の印字ヘッドで構成されている。印字ヘッド３５は、開閉扉３Ａを閉じることにより、プラテンローラ３７と接するように位置決めされている。具体的には、印字ヘッド３５は、図示しないヒンジを介して開閉扉３Ａに近接離反するように取り付けられた支持フレーム３５Ａに固定されている。また、支持フレーム３５Ａと開閉扉３Ａとの間には、開閉扉３Ａを閉じたときに印字ヘッド３５をプラテンローラ３７に押し付ける方向に付勢するバネ３５Ｂが設けられている。
【００２９】
プラテンローラ３７は、開閉扉３Ａを閉じたときの印字ヘッド３５の位置に対向するように配置されている。プラテンローラ３７は、印字ヘッド３５によって商品情報が印字されるラベルＬを送り出す。プラテンローラ３７の上方には、印字されたラベルＬの移動経路を規制する第１ガイド板３９Ａが取り付けられている。図２に示されるように、カセット部３１の側壁３１Ａ内には、プラテンローラ３７を駆動するギア機構（図示せず）が組み込まれている。カセット部３１を本体ケース３の装着部３Ｂに装着すると、そのギア機構が駆動モータと連結されてプラテンローラ３７が回転駆動される。以下、当該プラテンローラ３７を駆動させる駆動モータを制御することを「プラテンローラ３７を制御する」として説明する。
【００３０】
図３に戻り、印字ヘッド３５の上方（開閉扉３Ａ側の支持フレーム３５Ａの先端部）には、印字されたラベルＬの移動経路を規制する第２ガイド板３９Ｂが取り付けられている。第１ガイド板３９Ａと第２ガイド板３９Ｂとは、開閉扉３Ａを閉じた際に、ラベルＬを送り出す方向に徐々に狭くなるように互いに対向（「ハ」の字に対向）するように配置されている。ラベルＬは、第１ガイド板３９Ａと第２ガイド板３９Ｂとが対向する隙間が狭くなる一方の先端部から送り出される。
【００３１】
カッターユニット４０は、印字部３３から送り出されてくるラベルＬを所定長さのラベル片ＬＣ（図１参照）として切り離す。カッターユニット４０は、一対のガイド板３９Ａ，３９Ｂ及びプラテンローラ３７の上部に取り付けられている。また、カッターユニット４０は、本体ケース３の上部に取り付けられている。カッターユニット４０は、固定刃４１と可動刃４３とを備えている。カッターユニット４０は、可動刃４３がカッターユニット４０内部のクランク機構に連結されて、高速で固定刃４１との間を水平方向に往復運動するようになっている。
【００３２】
プリンタ制御ユニット９０は、ラベル発行装置３０における各種動作を制御する部分であり、ＣＰＵ、ＲＯＭ、ＲＡＭは、アドレスバスやデータバス等のバスラインを介して相互に接続されている。図４に示されるように、プリンタ制御ユニット９０は、制御部９２と、記憶部９４と、を有している。制御部９２は、例えばＲＯＭに格納されているプログラムがＲＡＭ上にロードされてＣＰＵで実行される。
【００３３】
制御部９２は、印字部３３（印字ヘッド３５及びプラテンローラ３７）を制御し、ラベルＬに商品情報を印字させる。制御部９２は、印字モードに応じて印字部３３を制御する。印字モードは、店員側操作部１１のタッチパネル１３において作業者によって設定される。具体的には、印字モードは、タッチパネル１３に表示される画面において、印字モード選択ボタン（図示しない）が作業者に押下されることにより設定される。
【００３４】
印字モードは、通常モードと、ラベル延長モードと、を有する。通常モードでは、制御部９２は、例えば図５（ａ）に示されるように、ラベルＬに商品情報が印字された印字領域（第１領域）Ａ１のみを有するラベル片ＬＣ１を発行する。ラベル延長モードでは、制御部９２は、例えば図５（ｂ）に示されるように、ラベルＬに商品情報が印字された印字領域Ａ１に加えて、ラベルＬの送出方向における印字領域Ａ１の上流側及び下流側（以下、単に上流側、下流側）の少なくとも一方（図５（ｂ）では下流側）に、ラベル片が少なくとも商品の容器Ｃ（図９及び図１１参照）の２面に跨って貼付されるための所定長さの余白領域（第２領域）Ａ２を有するラベル片ＬＣ２を発行する。
【００３５】
制御部９２は、通常モードが選択された場合、商品情報を印字するために必要な最小限の印字領域Ａ１を設定し、印字領域Ａ１の長さに応じたラベル長を設定する。制御部９２は、設定したラベル長に基づいて、印字部３３を制御してラベル片ＬＣ１を発行させる。
【００３６】
制御部９２は、ラベル延長モードにおいて、更に、第１モードと、第２モードと、に切り替え可能とされている。第１モードは、商品毎に余白領域Ａ２の長さを取得して設定するモードである。第２モードは、ラベル毎の余白領域Ａ２の長さを一定の長さに設定するモードである。第１モードと第２モードとの切り替えは、店員側操作部１１のタッチパネル１３において、作業者によって行われる。具体的には、第１モードと第２モードとの切り替えは、タッチパネル１３に表示される画面において、第１モード選択ボタン又は第２モード選択ボタンが作業者に押下されることにより設定される。
【００３７】
制御部９２は、第１モードが選択された場合、商品に係る商品関連情報に応じて印字領域Ａ１を設定する。また、制御部９２は、商品関連情報に基づいて記憶部９４を参照し、記憶部９４に記憶されている情報に基づいて余白領域Ａ２の長さを取得して設定する。制御部９２は、印字領域Ａ１及び余白領域Ａ２に応じたラベル長を設定する。制御部９２は、設定したラベル長に基づいて、印字部３３を制御してラベル片ＬＣ２を発行させる。第１モードにおける制御部９２の詳細な動作については、後述する。
【００３８】
制御部９２は、第２モードが選択された場合、店員側操作部１１のタッチパネル１３にラベル長変更ボタンを表示させる。制御部９２は、タッチパネル１３に表示されたラベル長変更ボタンの押下状態（押下回数）に応じて、ラベル片ＬＣ２のラベル長を設定する。制御部９２は、設定したラベル長に基づいて、印字部３３を制御してラベル片ＬＣ２を発行させる。第２モードにおける制御部９２の詳細な動作については、後述する。
【００３９】
記憶部９４は、図６に示されるように、商品マスタＭ１と、トレーマスタＭ２と、を記憶している。商品マスタＭ１は、商品に係る商品関連情報であって、商品に含まれる容器Ｃ（図９参照）に係る容器情報を少なくとも含む商品関連情報を商品毎に記憶している。商品マスタＭ１は、商品番号と、品名、単価、定額、賞味期限及びトレー番号とが対応付けられたテーブルである。トレーマスタＭ２は、容器Ｃに係る容器情報を含んでおり、トレー番号と、トレー名、トレー高さ、禁止ラベル長範囲及び延長ラベル長さとが対応付けられたテーブルである。
【００４０】
記憶部９４は、図７に示されるように、ラベルマスタＭ３及びラベルマスタＭ４を記憶している。ラベルマスタＭ３は、ラベル種類とラベル長さと対応付けられたテーブルである。ラベルマスタＭ４は、ラベル種類と延長ラベル長さとが対応付けられたテーブルである。記憶部９４に記憶される情報（マスタ）は、変更（設定、上書き）可能とされている。
【００４１】
続いて、ラベル発行装置３０の動作について説明する。最初に、ラベル延長モードの第１モードにおける動作について、図８を参照しながら説明する。
【００４２】
図８に示されるように、最初に、制御部９２は、作業者によって「呼出」キーが操作され、タッチパネル１３に表示された複数の商品の中から一の商品が作業者によって選択されると、一の商品に対応する商品情報を記憶部９４の商品マスタＭ１から読み出す（ステップＳ０１）。制御部９２は、商品マスタＭ１から読み出した商品情報に基づいて、図５（ａ）又は図５（ｂ）に示されるように、商品情報を含み得る印字領域Ａ１を設定する（ステップＳ０２）。
【００４３】
図８に戻って、制御部９２は、印字領域Ａ１を設定すると、印字領域Ａ１を含むラベル片の仮長さを求める（ステップＳ０３）。仮長さは、印字領域Ａ１の長さと、送出方向における印字領域Ａ１の上流側及び下流側に設けられる余白（例えば、１ｍｍ程度）の長さとを合わせた長さである。仮長さは、例えば、図５（ａ）に示されるラベル片ＬＣ１の長さＬ１である。余白の長さは、適宜設定されればよい。なお、余白は、設けられなくてもよい。すなわち、印字領域Ａ１の長さがラベル片の仮長さであってもよい。
【００４４】
続いて、制御部９２は、ラベル片の仮長さが禁止ラベル長範囲内であるか否かを判断する（ステップＳ０４）。具体的には、制御部９２は、商品情報のトレー番号に基づいてトレーマスタＭ２を参照し、トレー番号に対応する禁止ラベル長範囲を取得する。
【００４５】
ここで、禁止ラベル長範囲は、図９（ａ）及び図９（ｂ）に示されるように、容器Ｃにおける蓋Ｃｂの上面Ｓ１の貼付位置においてラベル片が貼付される貼付領域ＣＡの長さ（第１長さ）ＣＤに基づいて設定されている。詳細には、禁止ラベル長範囲は、ラベル片の仮長さが貼付領域ＣＡの長さＣＤよりも長く、且つ、長さＣＤよりも長い所定長さ（第２長さ）以下に設定されている。より具体的には、例えば、禁止ラベル長範囲は、図１０（ａ）及び図１０（ｂ）に示されるように、ラベル片ＬＣ１が容器Ｃの蓋Ｃｂに貼り付けられたときに、ラベル片ＬＣ１の一端部が蓋Ｃｂの上面Ｓ１よりも外側に位置すると共に、本体Ｃａの側面Ｓ２に一端端が届かないラベル片ＬＣ１の長さの範囲である。すなわち、禁止ラベル長範囲内の長さを有するラベル片ＬＣ１は、容器Ｃに貼り付けられたときに、一端部が蓋Ｃｂから外側にはみ出る。
【００４６】
図８に戻って、制御部９２は、ラベル片の仮長さが禁止ラベル長範囲内であると判断した場合には、延長ラベル長さを取得する（ステップＳ０５）。具体的には、制御部９２は、トレー番号に基づいてトレーマスタＭ２を参照し、トレー番号に対応する延長ラベル長さを取得する。制御部９２は、例えば、トレー番号が「１００１」の場合には、トレーマスタＭ２にから延長ラベル長さ「５０ｍｍ」を取得する。一方、制御部９２は、ラベル片の仮長さが禁止ラベル長範囲内であると判断しなかった場合には、ステップＳ０７に進む。
【００４７】
ここで、延長ラベル長さは、ラベル片が蓋Ｃｂの貼付領域ＣＡに貼付されたときに、ラベル片の一端部が本体Ｃａの側面Ｓ２に貼付され得る長さである。延長ラベル長さは、禁止ラベル長範囲の設定に用いられる上記所定長さよりも長い。延長ラベル長さは、容器Ｃの蓋Ｃｂの上面Ｓ１におけるラベル片の貼付位置、容器Ｃの寸法（高さＨ）、及び、ラベルＬの幅寸法に基づいて設定される。ラベルＬの幅寸法は、蓋Ｃｂの上面Ｓ１から本体Ｃａの側面Ｓ２に折れ曲がるときのラベルＬの剛性に寄与している。ラベルＬは、幅寸法が小さい程、折れ曲がり易い。トレーマスタＭ２には、上記種々の要素に基づいて求められた延長ラベル長さが設定されている。
【００４８】
続いて、制御部９２は、取得した延長ラベル長さとするための余白領域Ａ２の長さを設定する（ステップＳ０６）。制御部９２は、印字領域Ａ１に余白領域Ａ２を加えたラベル片の長さが延長ラベル長さとなるように、余白領域Ａ２の長さを設定する。具体的には、制御部９２は、延長ラベル長さから印字領域Ａ１の長さを引いて、余白領域Ａ２の長さを求める。図５（ｂ）に示す例では、ラベル片ＬＣ２において、延長ラベル長さがＬ２に該当し、印字領域Ａ１の長さがＬ１に該当し、余白領域Ａ２の長さがＬｄ（＝Ｌ２−Ｌ１）に該当する。余白領域Ａ２は、延長ラベル長さを設定する、容器Ｃの蓋Ｃｂの上面Ｓ１におけるラベル片の貼付位置、容器Ｃの寸法（高さＨ）、及び、ラベルＬの幅寸法と、印字領域Ａ１の長さとに基づいて設定されることになる。
【００４９】
図８に戻って、制御部９２は、固定キー１５の印字キーが押下されたか否かを判断する（ステップＳ０７）。制御部９２は、印字キーが押下されたと判断した場合には、印字部３３を制御してラベル片を発行させる（ステップＳ０８）。具体的には、制御部９２は、ラベル片の仮長さが禁止ラベル長範囲内であると判断しなかった場合には、例えば、図５（ａ）に示されるように、印字領域Ａ１のみを含む長さＬ１のラベル片ＬＣ１を発行させる。制御部９２は、余白領域Ａ２を設定した場合には、例えば、図５（ｂ）に示されるように、印字領域Ａ１の長さに加えて余白領域Ａ２の長さＬｄを有する長さＬ２のラベル片ＬＣ２を発行させる。具体的には、制御部９２は、余白領域Ａ２の長さＬｄの分だけラベルＬが送り出されるようにプラテンローラ３７を制御する。
【００５０】
図９及び図１１に示されるように、延長ラベル長さを有するラベル片ＬＣ２は、商品の少なくとも２面、具体的には、商品の容器Ｃの蓋Ｃｂの上面Ｓ１と本体Ｃａの側面Ｓ２とに跨って貼付される。詳細には、ラベル片ＬＣ２は、例えば、容器Ｃの蓋Ｃｂの上面Ｓ１の貼付位置においてラベル片が貼付される貼付領域ＣＡに印字領域Ａ１の部分が貼り付けられる。また、ラベル片ＬＣ２は、余白領域Ａ２の部分が本体Ｃａの側面Ｓ２に貼り付けられる。なお、印字領域Ａ１を含む部分が本体Ｃａの側面Ｓ２に貼り付けられてもよい。
【００５１】
次に、ラベル延長モードの第２モードにおける第１形態の動作について、図１２を参照しながら説明する。
【００５２】
図１２に示されるように、最初に、制御部９２は、作業者によって「呼出」キーが操作され、タッチパネル１３に表示された複数の商品の中から一の商品が作業者によって選択されると、一の商品に対応する商品情報を記憶部９４の商品マスタＭ１から読み出す（ステップＳ１１）。制御部９２は、商品マスタＭ１から読み出した商品情報に基づいて、商品情報を含み得る印字領域Ａ１を設定する（ステップＳ１２）。
【００５３】
続いて、制御部９２は、タッチパネル１３においてラベル長変更ボタンが押下されたか否かを判断する（ステップＳ１３）。制御部９２は、ラベル長変更ボタンが押下されたと判断した場合には、ステップＳ１４に進む。一方、制御部９２は、ラベル長変更ボタンが押下されたと判断しなかった場合には、ステップＳ１９に進む。
【００５４】
ステップＳ１４では、制御部９２は、ラベル長変更ボタンが２回押下されたか否かを判断する。制御部９２は、ラベル長変更ボタンが２回押下されたと判断した場合には、ステップＳ１６に進む。一方、制御部９２は、ラベル長変更ボタンが２回押下されたと判断しなかった場合には、第１ラベル長さを取得する（ステップＳ１５）。具体的には、制御部９２は、図７（ａ）に示されるように、記憶部９４に記憶されているラベルマスタＭ３を参照し、第１ラベル長さを取得する。
【００５５】
ステップＳ１６では、制御部９２は、ラベル長変更ボタンが３回押下されたか否かを判断する。制御部９２は、ラベル長変更ボタンが３回押下されたと判断した場合には、ラベル長変更ボタンが押下された回数のカウントをリセットし（ステップＳ１７）、ステップＳ１３の処理に戻る。一方、制御部９２は、ラベル長変更ボタンが３回押下されたと判断しなかった場合には、第２ラベル長さを取得する（ステップＳ１８）。具体的には、制御部９２は、図７（ａ）に示されるように、記憶部９４に記憶されているラベルマスタＭ３を参照し、第２ラベル長さを取得する。
【００５６】
続いて、制御部９２は、固定キー１５の印字キーが押下されたか否かを判断する（ステップＳ１９）。制御部９２は、印字キーが押下されたと判断した場合には、印字部３３を制御してラベル片を発行させる（ステップＳ２０）。具体的には、制御部９２は、ラベル長変更ボタンが押下されなかったときには、図１３（ａ）に示されるように、印字領域Ａ１のみを含む長さＬ１のラベル片ＬＣ１を発行させる。制御部９２は、ラベル長変更ボタンが１回押下されたときには、図１３（ｂ）に示されるように、印字領域Ａ１に加えて所定長さの余白領域を有する長さＬ２（例えば、７０ｍｍ）のラベル片ＬＣ２を発行させる。具体的には、制御部９２は、余白領域の分（Ｌ２−Ｌ１）だけラベルＬが送り出されるようにプラテンローラ３７を制御する。制御部９２は、ラベル長変更ボタンが２回押下されたときには、図１３（ｃ）に示されるように、印字領域Ａ１に加えて所定長さの余白領域を有する長さＬ３（例えば、９０ｍｍ）のラベル片ＬＣ３を発行させる。具体的には、制御部９２は、余白領域の分（Ｌ３−Ｌ１）だけラベルＬが送り出されるようにプラテンローラ３７を制御する。制御部９２は、印字キーが押下されたと判断しなかった場合には、ステップＳ１９の処理を繰り返す。
【００５７】
なお、タッチパネル１３においてラベル長変更ボタンが押下されたときには、押下されたことに応じてラベル長さを示す表示が変更される。具体的には、ラベル長変更ボタンが１回押下されると、タッチパネル１３の画面に、例えば、「ラベル長さ：７０ｍｍ」と表示される。ラベル長変更ボタンが２回押下されると、タッチパネル１３の画面に、例えば、「ラベル長さ：９０ｍｍ」と表示される。ラベル長変更ボタンが３回押下されると、タッチパネル１３の画面に、例えば、「ラベル延長無し」と表示される。ラベル長変更ボタンが４回押下されると、タッチパネル１３の画面に、「ラベル長さ：７０ｍｍ」と表示される。すなわち、タッチパネル１３においては、ラベル長変更ボタンが押下されると、「ラベル長さ：７０ｍｍ」→「ラベル長さ：９０ｍｍ」→「ラベル延長無し」→「ラベル長さ：７０ｍｍ」→…の順番で表示が変更される。これにより、作業者は、タッチパネル１３を見ながら、複数のラベル長さを候補から、任意のラベル長さを選択することができる。
【００５８】
また、制御部９２は、最後に押下されたラベル長変更ボタンの設定を保持する。具体的には、制御部９２は、前回のラベル片の発行のときに第２ラベル長さＬ３に設定されていた場合、次にラベル片を発行する際、ラベル長変更ボタンが押下されない場合には、第２ラベル長さＬ３のラベル片ＬＣ３を発行させる。
【００５９】
続いて、ラベル延長モードの第２モードにおける第２形態の動作について、図１４を参照しながら説明する。
【００６０】
図１４に示されるように、最初に、制御部９２は、作業者によって「呼出」キーが操作され、タッチパネル１３に表示された複数の商品の中から一の商品が作業者によって選択されると、一の商品に対応する商品情報を記憶部９４の商品マスタＭ１から読み出す（ステップＳ２１）。制御部９２は、商品マスタＭ１から読み出した商品情報に基づいて、商品情報を含み得る印字領域Ａ１を設定する（ステップＳ２２）。
【００６１】
続いて、制御部９２は、タッチパネル１３においてラベル長変更ボタンが押下されたか否かを判断する（ステップＳ２３）。制御部９２は、ラベル長変更ボタンが押下されたと判断した場合には、ステップＳ２４に進む。一方、制御部９２は、ラベル長変更ボタンが押下されたと判断しなかった場合には、ステップＳ２９に進む。
【００６２】
ステップＳ２４では、制御部９２は、ラベル長変更ボタンが２回押下されたか否かを判断する。制御部９２は、ラベル長変更ボタンが２回押下されたと判断した場合には、ステップＳ２６に進む。一方、制御部９２は、ラベル長変更ボタンが２回押下されたと判断しなかった場合には、第１延長ラベル長さを取得する（ステップＳ２５）。具体的には、制御部９２は、図７（ｂ）に示されるように、記憶部９４に記憶されているラベルマスタＭ４を参照し、第１延長ラベル長さを取得する。
【００６３】
ステップＳ２６では、制御部９２は、ラベル長変更ボタンが３回押下されたか否かを判断する。制御部９２は、ラベル長変更ボタンが３回押下されたと判断した場合には、ラベル長変更ボタンが押下された回数のカウントをリセットし（ステップＳ２７）、ステップＳ２３の処理に戻る。一方、制御部９２は、ラベル長変更ボタンが３回押下されたと判断しなかった場合には、第２延長ラベル長さを取得する（ステップＳ２８）。具体的には、制御部９２は、図７（ｂ）に示されるように、記憶部９４に記憶されているラベルマスタＭ４を参照し、第２延長ラベル長さを取得する。
【００６４】
続いて、制御部９２は、固定キー１５の印字キーが押下されたか否かを判断する（ステップＳ２９）。制御部９２は、印字キーが押下されたと判断した場合には、印字部３３を制御してラベル片を発行させる（ステップＳ３０）。具体的には、制御部９２は、ラベル長変更ボタンが押下されなかったときには、図１５（ａ）に示されるように、印字領域Ａ１のみを含む長さＬ１のラベル片ＬＣ１を発行させる。制御部９２は、ラベル長変更ボタンが１回押下されたときには、図１５（ｂ）に示されるように、ラベル片ＬＣ１の長さに第１延長ラベル長さＬｄ１（例えば、３０ｍｍ）を加えたラベル片ＬＣ２を発行させる。具体的には、制御部９２は、第１延長ラベル長さＬｄ１の分だけラベルＬが送り出されるようにプラテンローラ３７を制御する。制御部９２は、ラベル長変更ボタンが２回押下されたときには、図１５（ｃ）に示されるように、ラベル片ＬＣ１の長さに第２延長ラベル長さＬｄ２（例えば、４０ｍｍ）を加えたラベル片ＬＣ３を発行させる。具体的には、制御部９２は、第２延長ラベル長さＬｄ２の分だけラベルＬが送り出されるようにプラテンローラ３７を制御する。制御部９２は、印字キーが押下されたと判断しなかった場合には、ステップＳ２９の処理を繰り返す。
【００６５】
なお、タッチパネル１３においてラベル長変更ボタンが押下されたときには、押下されたことに応じて延長ラベル長さを示す表示が変更される。具体的には、ラベル長変更ボタンが１回押下されると、タッチパネル１３の画面に、例えば、「延長ラベル長さ：３０ｍｍ」と表示される。ラベル長変更ボタンが２回押下されると、タッチパネル１３の画面に、例えば、「延長ラベル長さ：４０ｍｍ」と表示される。ラベル長変更ボタンが３回押下されると、タッチパネル１３の画面に、例えば、「ラベル延長無し」と表示される。ラベル長変更ボタンが４回押下されると、タッチパネル１３の画面に、「延長ラベル長さ：３０ｍｍ」と表示される。すなわち、タッチパネル１３においては、ラベル長変更ボタンが押下されると、「延長ラベル長さ：３０ｍｍ」→「延長ラベル長さ：４０ｍｍ」→「ラベル延長無し」→「延長ラベル長さ：３０ｍｍ」→…の順番で表示が変更される。これにより、作業者は、タッチパネル１３を見ながら、複数の延長ラベル長さを候補から、任意のラベル長さを選択することができる。
【００６６】
また、制御部９２は、最後に押下されたラベル長変更ボタンの設定を保持する。具体的には、制御部９２は、前回のラベル片の発行のときに第２延長ラベル長さＬｄ２に設定されていた場合、次にラベル片を発行する際、ラベル長変更ボタンが押下されない場合には、第２延長ラベル長さＬｄ２（４０ｍｍ）を加えたラベル片ＬＣ３を発行させる。
【００６７】
以上説明したように、本実施形態に係るラベル発行装置３０は、印字領域Ａ１に加えて、ラベルＬの送出方向における印字領域Ａ１の上流側及び下流側の少なくとも一方に所定長さの余白領域Ａ２を有するラベル片ＬＣ２（図５（ｂ）参照）が発行されるようにプラテンローラ３７を制御する。余白領域Ａ２（例えば、空白部分）は、ラベル片ＬＣ２が少なくとも商品の２面に跨って貼付されるための所定長さを有する。そのため、ラベル片ＬＣ２は、一部が商品の蓋Ｃｂの上面Ｓ１に貼付され、上面Ｓ１からはみ出した部分が商品の本体Ｃａの側面Ｓ２に貼付され得る。したがって、ラベル片ＬＣの一部が商品からはみ出すことがないため、商品に貼付されたラベル片が他の物体（商品、袋等）に貼り付くことが抑制され得る。このように、ラベル発行装置３０では、商品に貼付されたラベル片ＬＣ２が他の物体に貼り付かないラベル片を発行できる。
【００６８】
本実施形態では、商品は、物品が収容される本体Ｃａと、本体Ｃａに取り付けられる蓋Ｃｂと、を有する容器Ｃを含む。制御部９２は、容器Ｃの蓋Ｃｂの上面Ｓ１におけるラベル片ＬＣの貼付位置、容器Ｃの寸法、印字領域Ａ１の長さ、及び、ラベルＬの幅寸法の少なくとも１つの情報に基づいて、余白領域Ａ２の長さを設定する。制御部９２は、上記のいずれかの情報を用いることにより、余白領域Ａ２の長さを適切に設定できる。
【００６９】
本実施形態では、制御部９２は、余白領域Ａ２の長さを、蓋Ｃｂの上面Ｓ１と本体Ｃａの側面Ｓ２とに跨ってラベル片ＬＣが貼付される長さに設定する。このように余白領域Ａ２の長さが設定されたラベル片ＬＣを発行することにより、商品に貼付されたラベル片ＬＣは、蓋Ｃｂの上面Ｓ１と本体Ｃａの側面Ｓ２とに確実に貼り付くため、他の物体（商品、袋等）に貼り付くことがない。また、ラベル片ＬＣを、本体Ｃａから蓋Ｃｂが外れることを抑制するシールとして機能させることができる。
【００７０】
本実施形態では、制御部９２は、記憶部９４に記憶されている商品マスタＭ１及びトレーマスタＭ２に基づいて、商品に対応するラベル片ＬＣの余白領域Ａ２の長さを設定する。このように、記憶部９４において商品マスタＭ１及びトレーマスタＭ２が記憶されているため、制御部９２は、商品毎の余白領域Ａ２の長さを迅速且つ正確に取得して設定できる。また、制御部９２が自動で余白領域Ａ２の長さを設定するため、作業者が設定を行う手間を省くことができる。
【００７１】
本実施形態では、制御部９２は、ラベル延長モードにおいて、商品毎に余白領域Ａ２の長さを取得して設定する第１モードと、ラベル毎の第２領域の長さを一定の長さに設定する第２モードと、に切り替え可能である。これにより、ラベル発行装置３０は、商品毎に余白領域Ａ２の長さが異なるラベル片、及び、商品に関わらず余白領域の長さが一定とされたラベル片を発行できる。したがって、ラベル片が貼付される商品の様態に応じたラベル片の発行が可能となる。
【００７２】
上記実施形態に加えて、ラベル発行装置３０は、図１６（ａ）に示されるように、ラベル片ＬＣ４を発行してもよいし、図１６（ｂ）に示されるように、ラベル片ＬＣ５を発行してもよい。図１６（ａ）に示されるように、ラベル片ＬＣ４は、印字領域Ａ１に加えて、第１余白領域Ａ２及び第２余白領域Ａ３を有している。第１余白領域Ａ２は、印字領域Ａ１の下流側に設けられており、第２余白領域Ａ３は、印字領域Ａ１の上流側に設けられている。第１余白領域Ａ２及び第２余白領域Ａ３は、印字領域Ａ１を挟んで設けられている。ラベル片ＬＣ４では、第１余白領域Ａ２及び第２余白領域Ａ３は同じ長さを有している。第１余白領域Ａ２及び第２余白領域Ａ３は、容器Ｃの寸法に応じて設定される。
【００７３】
ラベル片ＬＣ４は、図１７（ａ）及び図１７（ｂ）に示されるように、容器Ｃの蓋Ｃｂの上面Ｓ１及び本体Ｃａの底面Ｓ３に跨って帯掛け状に貼り付けることができる。これにより、ラベル片ＬＣ４は、商品情報を表示する機能に加えて、本体Ｃａから蓋Ｃｂが外れることを抑制するシールとしての機能を有する。図１７（ａ）に示されるように、ラベル片ＬＣ４の印字領域Ａ１は、蓋Ｃｂの略中央部に位置している。
【００７４】
図１６（ｂ）に示されるように、ラベル片ＬＣ５は、印字領域Ａ１に加えて、第１余白領域Ａ２及び第２余白領域Ａ３を有している。第１余白領域Ａ２は、印字領域Ａ１の下流側に設けられており、第２余白領域Ａ３は、印字領域Ａ１の上流側に設けられている。第１余白領域Ａ２及び第２余白領域Ａ３は、印字領域Ａ１を挟んで設けられている。ラベル片ＬＣ５では、第１余白領域Ａ２は、第２余白領域Ａ３よりも長い。つまり、ラベル片ＬＣ５では、印字領域Ａ１が上流側寄りに設けられている。
【００７５】
ラベル片ＬＣ５は、図１８（ａ）及び図１８（ｂ）に示されるように、容器Ｃの蓋Ｃｂの上面Ｓ１及び本体Ｃａの底面Ｓ３に跨って帯掛け状に貼り付けることができる。これにより、ラベル片ＬＣ５は、商品情報を表示する機能に加えて、本体Ｃａから蓋Ｃｂが外れることを抑制するシールとしての機能を有する。図１８（ａ）に示されるように、ラベル片ＬＣ５の印字領域Ａ１は、蓋Ｃｂの縁側寄り位置している。
【００７６】
（変形例）
以上、一実施形態について説明したが、本発明は、上記実施形態に限られるものではなく、発明の趣旨を逸脱しない範囲で種々の変更が可能である。
【００７７】
上記実施形態では、余白領域Ａ２，Ａ３が空白部分である形態を一例に説明したが、余白領域Ａ２，Ａ３には、情報が印字されてもよい。
【００７８】
上記実施形態に加えて、ラベル延長モードの第２モードでは、タッチパネル１３において作業者によって入力された数値に基づいて、ラベル片の長さが設定されてもよい。この場合、タッチパネル１３は、ラベル片全体の長さの入力を受け付けてもよいし、延長ラベル長さの入力を受け付けてもよい。
【００７９】
上記実施形態では、印字キーが押下された場合に、ラベル発行装置３０がラベル片を発行される形態を一例に説明した。しかし、ラベル発行装置３０は、商品が計量台２１に載置され、計量が安定した場合にラベル片を発行してもよい。制御部９２は、計量部２０によって計量された商品の質量に予め設定された単位質量当りの単価を乗じた価格等を含む商品情報が印字領域Ａ１に印字されるように、印字部３３を制御する。
【００８０】
上記実施形態では、電子秤１において、計量台２１が本体ケース３の上部に設けられている形態を一例に説明した。しかし、計量台は、本体ケースとは、別に（独立して）設けられていてもよい。
【００８１】
図１９に示されるように、電子秤１Ａは、本体ケース４と、本体ケース４の上部に設けられた操作部１０Ａと、計量部２０Ａと、を備えている。電子秤１Ａは、電子秤１と同様に、ラベル発行装置３０及び本体制御ユニット７０（図１９では図示省略）を備えている。操作部１０Ａは、操作部１０と同様の構成を有している。計量部２０Ａの送信モジュールは、デジタル信号を本体ケース３内の本体制御ユニット７０に無線で送信する。
【００８２】
ラベル発行装置３０の制御部９２は、所定長さ以上のラベル片ＬＣを発行する場合には、計量部２０Ａにおいて計量が安定したときにラベル片を発行する制御を実施しない。言い換えれば、制御部９２は、ラベル片ＬＣの長さが所定長さ以上である場合は、印字キーが押下された場合にのみ、ラベル片ＬＣの発行のみを許可する。所定長さは、例えば、ラベル片ＬＣが発行される位置と計量部２０Ａとの間の距離以上に設定される。
【００８３】
図１９に示されるように、計量部２０Ａは、電子秤１Ａが設置されるスペースの制約等により、本体ケース４の前方に配置されることが多い。そのため、計量部２０Ａは、ラベル片ＬＣが発行される発行口（図示しない）の下方に位置する場合がある。この場合、計量部２０Ａにおいて計量が安定したときにラベル片を発行すると、発行されたラベル片ＬＣが計量部２０Ａに載り、これによって新たなラベル片ＬＣが発行されるおそれがある。これについて、制御部９２は、ラベル片ＬＣの長さが所定長さ以上である場合は、印字キーが押下された場合にのみラベル片の発行が許可される。したがって、ラベル片ＬＣが計量部２０Ａ上に載ったとしても、ラベル片ＬＣは発行されない。したがって、無駄なラベル片ＬＣが発行されることを防止される。
【００８４】
また、電子秤１Ａでは、所定長さ以上のラベル片ＬＣを発行する場合には、計量部２０Ａにおいて計量が安定したときにラベル片を発行する制御を実施しないため、商品を計量部２０Ａ上に載置した状態で、発行された帯状のラベル片の一部を商品に貼り付けることが可能となる。
【００８５】
図２０に示されるように、電子秤１Ｂは、高さ検出部９６を備えていてもよい。高さ検出部９６は、容器Ｃの高さを検出する。高さ検出部９６は、例えば、カメラを含んでいる。高さ検出部９６は、例えば、計量台２１に載置された商品の容器Ｃの高さを検出する。
【００８６】
制御部９２は、ラベル延長モードの第１モードにおいて、商品マスタＭ１に該当する商品が設定されていない場合、高さ検出部９６において検出された商品の高さに基づいて、余白領域Ａ２を設定する。具体的には、制御部９２は、検出された高さと、商品におけるラベル片の貼付位置とにも基づいて、余白領域Ａ２を設定する。これにより、ラベル発行装置３０では、記憶部９４に記憶されていない商品であっても、商品に適したラベル片を発行できる。
【００８７】
上記ラベル発行装置３０は、包装貼付システムに適用できる。図２１〜図２４参照して、一実施形態のラベル発行装置３０を備える包装貼付システム１００について説明する。包装貼付システム１００は、商品Ｍが載置されたトレーＴを包装し、包装されたトレーＴの上面にラベル片ＬＣ１を貼付し、下面にラベル片ＬＣを貼付する装置である。包装貼付システム１００は、供給装置１０１と、包装機構１１０と、搬送部１２０（第１搬送コンベヤ１２１、第２搬送コンベヤ１２３、及びストックコンベヤ１２５）と、上貼システム１３０と、下貼システム１５０と、本体制御ユニット１７０と、を備えている。
【００８８】
供給装置１０１は、包装貼付システム１００の正面に配置されている。供給装置１０１は、商品Ｍが載置されたトレーＴを、包装機構１１０におけるリフタ１１１に供給する。
【００８９】
包装機構１１０は、包装ステーションＳと、リフタ１１１と、移送機構１１２，１１２と、フィルム折込機構１１３と、熱溶着コンベヤ１１５と、を有している。リフタ１１１は、包装ステーションＳの直下に配置されていると共に、図示しない駆動手段により上下昇降可能に構成されている。リフタ１１１は、供給装置１０１から商品Ｍが供給されると、商品Ｍを包装ステーションＳまで持ち上げる。
【００９０】
移送機構１１２，１１２は、包装ステーションＳに張設状態のフィルムＦを供給する。フィルム折込機構１１３は、移送機構１１２，１１２によって供給されるフィルムＦの前後左右の各側縁部を、トレーＴの底面側に織り込んで商品Ｍを包装する折込板１１３ａ，１１３ｂと、包装された商品Ｍを熱溶着コンベヤ１１５上に排出するプッシャ１１３ｃとを有している。熱溶着コンベヤ１１５は、底面に折り込まれたフィルムＦ同士を互いに溶着し、第１搬送コンベヤ１２１に排出する。
【００９１】
上貼システム１３０は、包装ステーションＳの上方に設けられている。上貼システム１３０は、商品Ｍの内容に応じたラベル片ＬＣ１を発行するプリンタ１３１と、ラベル片ＬＣ１の貼付を行う上貼機１３２を有している。プリンタ１３１は、ラベル片ＬＣを保持部１３１ａの上面に排出する。上貼機１３２は、保持部１３１ａ上のラベル片ＬＣを吸着し、商品Ｍが第１搬送コンベヤ１２１に排出されるまでの間にラベルＬを商品Ｍの上面に貼付する。
【００９２】
第１搬送コンベヤ１２１に供給された商品Ｍは、第１搬送コンベヤ１２１によって図２２に示す矢印方向に搬送され、第２搬送コンベヤ１２３を通り、ストックコンベヤ１２５にストックされる。
【００９３】
下貼システム１５０は、第２搬送コンベヤ１２３の搬送面の下方に設けられている。下貼システム１５０は、商品Ｍの内容に応じたラベル片ＬＣを発行するラベル発行装置３０と、第２搬送コンベヤ１２３によって搬送中の商品Ｍの下面にラベル片ＬＣを貼付する下貼機１６０と、を有している。
【００９４】
ラベル発行装置３０は、ケース１５１に収容されている。図２３に示されるように、ラベル発行装置３０は、上記第１実施形態の電子秤１に搭載される装置と同様に、カセット部３１（図２１参照）と、印字部３３と、カッターユニット４０と、プリンタ制御ユニット９０（図２４参照）と、を備えている。なお、ラベル発行装置３０を構成する各部の詳細は、上記実施形態と同様であるので、ここでは詳細な説明を省略する。
【００９５】
下貼機１６０は、負圧による吸引機構（図示せず）を備えた吸着プレート１６１及び搬送ベルト１６３を有している。搬送ベルト１６３は、商品Ｍの搬送方向に直交する方向に複数本設けられており、常に回転している。吸着プレート１６１は、ラベル発行装置３０の発行口５５から排出されるラベル片ＬＣの印字面（貼付面とは反対の面）を吸着する。吸着プレート１６１は、ラベル片ＬＣを吸着した状態で時計回りに回動することにより、ラベル片ＬＣを搬送ベルト１６３に受け渡す。搬送ベルト１６３は、吸着プレート１６１から受け渡されたラベル片ＬＣを第２搬送コンベヤ１２３に向かって、斜め上方に搬送する。
【００９６】
第２搬送コンベヤ１２３は、商品Ｍの搬送方向に並設された複数の搬送ローラ１２３ａを有している。搬送ベルト１６３によって搬送されるラベル片ＬＣは、貼付面を上方に向けた状態で、搬送ローラ１２３ａの隙間から飛び出す。これにより、第２搬送コンベヤ１２３によって搬送されてくる商品Ｍの下面Ｍｂにラベル片ＬＣが貼着される。
【００９７】
本体制御ユニット１７０は、包装貼付システム１００における各種動作を制御する部分であり、ＣＰＵ、ＲＯＭ、ＲＡＭが、アドレスバスやデータバス等のバスラインを介して相互に接続されている。図２４に示されるように、本体制御ユニット１７０は、包装貼付システム１００における各種制御処理を実行する。以下、上記各種制御処理の一つである、モードの切り替えについて説明する。
【００９８】
本体制御ユニット１７０は、包装貼付システム１００において、上述した構成により、ラベル発行装置３０によって発行されたラベルＬを作業者の手を介さずに商品Ｍの下面Ｍｂに貼り付けられる自動貼モードに加え、手貼モードを有している。手貼モードは、搬送ベルト１６３によって搬送ローラ１２３ａの隙間から飛び出させるまでは同じであるが、第２搬送コンベヤ１２３に商品Ｍが搬送されていない点で異なる。すなわち、作業者は、搬送ローラ１２３ａの隙間からラベル片ＬＣを取り出し、取り出したラベル片ＬＣを、例えば、自分の手で商品Ｍの下面Ｍｂに貼り付けるなどして使用する。なお、モードの切り替えは、例えば、スイッチ１５７を介して行われる。
【００９９】
上記実施形態又は上記変形例では、カッターユニット４０は、一方を固定刃４１、他方を可動刃４３とする例を挙げて説明したが、両方が可動刃であってもよい。また、印字ヘッド３５は、サーマル式の印字ヘッドで構成されている例を挙げて説明したが、これに限定されるものではなく、インクリボン式、インクジェット式等、種々の方式のものが採用可能である。
【０１００】
上記実施形態又は上記変形例では、ラベルＬの印字と送出とを兼ねた構成の印字部３３を例に挙げて説明したが、印字部と送出部とはそれぞれ別に構成されていてもよい。
【０１０１】
上記実施形態、上記変形例では、制御ユニットとしての本体制御ユニット７０（１７０）とプリンタ制御ユニット９０とが別々に設けられる例を挙げて説明したが、一体として設けられてもよい。
【符号の説明】
【０１０２】
１３…タッチパネル（表示部、入力部）、３０…ラベル発行装置、３５…印字ヘッド（印字部）、３７…プラテンローラ（送出部）、９２…制御部、９４…記憶部、Ａ１…印字領域（第１領域）、Ａ２，Ａ３…余白領域（第２領域）、Ｃ…容器、Ｃａ…本体、Ｃｂ…蓋、Ｌ…台紙レスラベル、ＬＣ，ＬＣ１，ＬＣ２，ＬＣ３，ＬＣ４，ＬＣ５…ラベル片、Ｓ１…上面、Ｓ２…側面。
【要約】
【課題】商品に貼付されたラベル片が他の物体に貼り付かないラベル片を発行できるラベル発行装置を提供する。
【解決手段】ラベル発行装置３０は、台紙レスラベルＬに商品情報を印字する印字部３５と、台紙レスラベルＬを送り出す送出部３７と、印字部３５及び送出部３７の動作を制御する制御部９２と、を備え、制御部９２は、台紙レスラベルＬに商品情報が印字された第１領域Ａ１に加えて、台紙レスラベルＬの送出方向における第１領域Ａ１の上流側及び下流側の少なくとも一方に、ラベル片ＬＣが少なくとも商品の２面に跨って貼付されるための所定長さの第２領域Ａ２を有するラベル片ＬＣが発行されるように送出部３７を制御する。
【選択図】図４【図１】
0005933087.tif 000002
【図２】
0005933087.tif 000003
【図３】
0005933087.tif 000004
【図４】
0005933087.tif 000005
【図５】
0005933087.tif 000006
【図６】
0005933087.tif 000007
【図７】
0005933087.tif 000008
【図８】
0005933087.tif 000009
【図９】
0005933087.tif 000010
【図１０】
0005933087.tif 000011
【図１１】
0005933087.tif 000012
【図１２】
0005933087.tif 000013
【図１３】
0005933087.tif 000014
【図１４】
0005933087.tif 000015
【図１５】
0005933087.tif 000016
【図１６】
0005933087.tif 000017
【図１７】
0005933087.tif 000018
【図１８】
0005933087.tif 000019
【図１９】
0005933087.tif 000020
【図２０】
0005933087.tif 000021
【図２１】
0005933087.tif 000022
【図２２】
0005933087.tif 000023
【図２３】
0005933087.tif 000024
【図２４】
0005933087.tif 000025